(57)【要約】【課題】  空気ボンベなどの容器を、容器収納ボックスに円滑に収納し、容器の飛び出しを防止し、かつ容器を円滑に取り出すことが可能な容器収納用ストッパ装置を提供する。【解決手段】  収納用ストッパ装置１０は、空気ボンベ収納ボックス（容器収納ボックス）１内に収納した空気ボンベ（容器）３０の先端部に当接して空気ボンベ３０の飛び出しを防止するストッパ１１を備える。ストッパ１１は、空気ボンベ収納ボックス１の出入口１ａの内壁に、ヒンジ部１３を介して空気ボンベ収納ボックス１の底部方向に延伸すると共に空気ボンベ収納ボックス１の内壁側から中心の方向に向けて回動するように常時付勢される。ストッパ１１は、前記付勢力に抗して回動した時に、空気ボンベ収納ボックス１内の空気ボンベ３０の側面に当接する押当て部材２０を備える。押当て部材２０は、ストッパ１１の回動方向の外側に位置しかつ先端方向に向けて湾曲する湾曲部を備える。【選択図】  図１
0003213084.tif 000002
【実用新案登録請求の範囲】
【請求項１】
ボンベなどの容器を収納する容器収納ボックスの出入口に形成した容器収納用ストッパ装置であって、
前記容器収納ボックス内に収納した容器の先端部に当接して前記容器の飛び出しを防止するストッパを備え、
前記ストッパは、前記容器収納ボックスの出入口の内壁に、ヒンジ部を介して前記容器収納ボックスの底部方向に延伸すると共に、該容器収納ボックスの内壁側から中心の方向に向けて回動するように常時付勢して形成し、
前記ストッパは、前記付勢力に抗して前記容器収納ボックスの内壁側に回動した時に、該容器収納ボックス内を出し入れする容器の側面に対して当接する押当て部材を備え、
前記押当て部材は、前記ストッパの回動方向の外側に位置しかつ先端方向に向けて湾曲する湾曲部を備えていることを特徴とする容器収納用ストッパ装置。
【請求項２】
前記押当て部材は、前記容器収納ボックス内を出し入れする空気ボンベの側面に当接するように、前記ストッパの回動方向の外側に取付けたローラであることを特徴とする請求項１に記載の容器収納用ストッパ装置。
【考案の詳細な説明】
【技術分野】
【０００１】
本考案は、容器収納用ストッパ装置に関し、例えば、消防自動車などの緊急車両の車内に常備される空気呼吸器における空気ボンベ（高圧空気容器）を、空気ボンベ収納ボックス（容器収納ボックス）に円滑に収納すると共に、空気ボンベ収納ボックスに収納した空気ボンベの飛び出しを防止する、容器収納用ストッパ装置を提供する技術に関する。
【背景技術】
【０００２】
一般に、消防自動車などの緊急車両は、火災発生時の消火活動、救助活動、避難誘導などの緊急時に備えて空気呼吸器を常備している。空気呼吸器は、空気ボンベ（高圧空気容器）、空気ボンベの圧縮空気を供給する空気供給管やレギュレータや吸気マスク等の付属物、および空気ボンベを背中に装着するための装具類などによって構成されている。
【０００３】
空気ボンベは、緊急車両の車内に備えた複数の空気ボンベ収納ボックスに収納される。複数の空気ボンベ収納ボックスは、例えば消防自動車のサイドから空気ボンベを横に向けて出し入れできるように備えられている。そのために、消防自動車が道路を走行する際には、空気ボンベが収納ボックスから外方へ飛び出す遠心力や上下動が作用するので、空気ボンベの飛び出しを防止するストッパ装置を備える必要がある。
【０００４】
そこで、従来、前記空気ボンベ収納ボックスの出入口にストッパ装置を設置している。
この装置は、空気ボンベ収納ボックスの出入口の内壁にヒンジ部を介して底部方向に延伸するストッパを備えている。しかも、このストッパは空気ボンベ収納ボックスの中心に向けて、弾性部材によって回動するように常時付勢され、ストッパの先端が前記空気ボンベ収納ボックス内に収納した空気ボンベの先端部に当接するように構成している。
【０００５】
前述のストッパ装置は、空気ボンベを横に向けて空気ボンベ収納ボックスの出入口から挿入する時、空気ボンベの底部がストッパを押して前記付勢力に抗して回動させる。さらに、空気ボンベは、ストッパの先端が空気ボンベの側面に当接した状態で移動して空気ボンベ収納ボックス内に収納される。その後、ストッパは前記付勢力によって空気ボンベ収納ボックスの中心に向けて回動して空気ボンベの先端部に当接することになる。
【０００６】
空気ボンベを収納するための空気呼吸器の収納装置としては、例えば特許文献１に開示されている。この装置は空気ボンベを上下方向に立てて設置するものであり、空気ボンベのほぼ半周の側面をボンベ保持部材に当接し、押えプレートに備えた押圧部で前記空気ボンベの上部に接触して該空気ボンベを固定位置に簡単に保持する。空気ボンベを前方側に傾動させるだけで、該空気ボンベの上部が押圧部から外れ、空気ボンベを簡単に取り出せる。
特許文献１は空気ボンベを上下方向に立てて収納する収納装置であって、消防自動車のサイドから空気ボンベを横に向けて出し入れする空気ボンベ収納ボックスに対応するストッパ装置に関する公開特許公報などの特許文献は見当たらない。
【先行技術文献】
【特許文献】
【０００７】
【特許文献１】特開２０１６-１１２２０２号公報
【考案の概要】
【考案が解決しようとする課題】
【０００８】
使用者が装具にて空気ボンベを背負う場合、空気ボンベの底部が上になるように装具に装着し、空気ボンベの下側に位置するそく止弁に空気供給管を連結する。空気ボンベの圧縮空気はレギュレータや空気供給管を介して吸気マスクに供給される。したがって、消防隊員が消火現場で狭い所をくぐり抜ける際に、空気ボンベが障害物にぶつかることがある。そのために、一般的に、空気ボンベは、その底部から側面にかけて、例えばゴム製の保護カバーを装着している。したがって、空気ボンベの側面に保護カバーによる段差ができる。
【０００９】
使用者が保護カバーを装着した空気ボンベを横に向けて空気ボンベ収納ボックスの出入口から挿入する場合、前述のストッパ装置におけるストッパの先端が、弾性部材の付勢力に抗しつつ上方へ回動し、空気ボンベの保護カバーの側面に当接した状態で空気ボンベが移動していく。さらに空気ボンベを挿入していくと、ストッパの先端は、ボンベ上端の保護カバーの側面に当接するが、保護カバー端部の段差を通過する時は抵抗なく空気ボンベを収納ボックス内に収納することができる。
【００１０】
一方、使用者が空気ボンベを空気ボンベ収納ボックスから取り出す場合、前記ストッパの先端が、空気ボンベの先端部から外ずれるように、使用者の指先でストッパを前記付勢力に抗して回動させる必要がある。つまり、ストッパの先端による抵抗が生じないようにしてから、空気ボンベを引き出す必要があった。
また、使用者が空気ボンベを引き出す途中で、ストッパの先端が保護カバーの端部の段差に突き当たった場合には、空気ボンベをスムーズに引き出せなくなることも生じていた。
【００１１】
そこで、ストッパの先端が保護カバーの端部の段差に突き当った状態を解除するには、使用者がストッパを前記付勢力に抗して空気ボンベ収納ボックスの内壁の方向へ回動させる必要がある。しかし、空気ボンベは重いので、一使用者が持った状態でストッパを回動させることは簡単ではない。あるいは、別の使用者が指先で前記ストッパを前記付勢力に抗して回動させることになる。その結果、大きな労力と手間および時間のロスが生じ、緊急事態の時は、より一層切実な問題となる。
【００１２】
本考案はこのような事情に鑑みてなされたものであって、例えば、緊急車両の車内に常備される空気呼吸器において、特に空気ボンベを横にして空気ボンベ収納ボックスに円滑に収納することができると共に、空気ボンベの飛び出しを防止し、かつ、前記空気ボンベを円滑に取り出すことを可能とする、容器収納用ストッパ装置を提供することを目的とする。
また、本考案が対象とするのは、空気呼吸器の空気ボンベに限らず、プロパンガスやエチレンガス、窒素ガスなどの各種のボンベ（高圧容器）を輸送用車両や貨車などの輸送手段にて運搬する際や、病院や工場などの建築物内にて使用される各種の容器を安全に保管し、且つ使用に際して迅速・スムーズに取り出すことが可能な容器収納用ストッパ装置を提供することを目的とする。
【課題を解決するための手段】
【００１３】
請求項１記載の考案は、ボンベなどの容器を収納する容器収納ボックスの出入口に形成した容器収納用ストッパ装置であって、
前記容器収納ボックス内に収納した容器の先端部に当接して前記容器の飛び出しを防止するストッパを備え、
前記ストッパは、前記容器収納ボックスの出入口の内壁に、ヒンジ部を介して前記容器収納ボックスの底部方向に延伸すると共に、該容器収納ボックスの内壁側から中心の方向に向けて回動するように常時付勢して形成し、
前記ストッパは、前記付勢力に抗して前記容器収納ボックスの内壁側に回動した時に、該容器収納ボックス内を出し入れする容器の側面に対して当接する押当て部材を備え、
前記押当て部材は、前記ストッパの回動方向の外側に位置しかつ先端方向に向けて湾曲する湾曲部を備えていることを特徴としている。
【００１４】
請求項２記載の考案は、前記押当て部材は、前記容器収納ボックス内を出し入れする容器の側面に当接するように、前記ストッパの回動方向の外側に取付けたローラであることを特徴としている。
【考案の効果】
【００１５】
本考案によれば、例えば使用者が保護カバーを装着した容器（空気ボンベ）を横に向けて容器収納ボックス（空気ボンベ収納ボックス）の出入口から挿入する場合、容器（空気ボンベ）の底部がストッパの押当て部材を押してストッパを前記付勢力に抗して容器収納ボックス（空気ボンベ収納ボックス）の内壁側へ回動させる。押当て部材が容器（空気ボンベ）の保護カバーの側面に対して当接した状態で容器（空気ボンベ）が移動するので、ストッパの先端部を保護カバーの側面から離れた状態にすることができる。
【００１６】
容器（空気ボンベ）が容器収納ボックス（空気ボンベ収納ボックス）内に収納されると、ストッパの先端が前記付勢力により空気ボンベ収納ボックスの中心に向けて回動する。ストッパの先端が容器収納ボックス（空気ボンベ収納ボックス）内に収納した容器（空気ボンベ）の先端部に当接するので、容器（空気ボンベ）の飛び出しを未然に防止することができる。
【００１７】
一方、使用者が容器（空気ボンベ）を容器収納ボックス（空気ボンベ収納ボックス）から取り出す場合、使用者が指先でストッパを前記付勢力に抗して容器収納ボックス（空気ボンベ収納ボックス）の内壁側へ回動し、ストッパの押当て部材が容器（空気ボンベ）の側面に当接した状態となるよう容器（空気ボンベ）を引き出す。これによって、ストッパの先端部は保護カバーの端部の段差から外れた位置となる。
【００１８】
使用者が容器（空気ボンベ）を引き出す途中で、押当て部材が容器（空気ボンベ）の側面にある保護カバーの端部の段差に当たっても、押当て部材の湾曲部によって保護カバーの端部の段差を円滑に乗り越えることができるので、容器（空気ボンベ）を円滑に取り出すことができる。その結果、大きな労力と手間および時間のロスを解消することができる。
なお、保護カバーが取り付けられていない容器の場合でも、容器の取出動作をスムーズに行うことが可能となる。
【００１９】
また、押当て部材がローラである場合、ローラの外周の曲面によって保護カバーの端部の段差をより一層円滑に乗り越えることができる。
【図面の簡単な説明】
【００２０】
【図１】本考案に係る容器収納用ストッパ装置の全体的な斜視図である。
【図２】（ａ）は収納用ストッパ装置の構造を示す側面図で、（ｂ）及び（ｃ）は収納用ストッパ装置の斜視図である。
【図３】図１の空気ボンベ収納ボックス内の容器収納用ストッパ装置を示す断面図である。
【図４】（ａ）は消防自動車の斜視図で、（ｂ）は複数の空気ボンベ収納ボックスを示す正面図である。
【図５】（ａ）及び（ｂ）は空気ボンベを空気ボンベ収納ボックスに収納する過程を示す概略図であり、（ｃ）は空気ボンベを収納する過程及び取り出す過程を示す概略図である。
【図６】（ａ）及び（ｂ）は空気ボンベを空気ボンベ収納ボックスから取り出す過程を示す概略図である。
【考案を実施するための形態】
【００２１】
以下、本考案の実施形態に係る容器収納用ストッパ装置について図面を参照して説明する。
図１は容器収納ボックスとしての空気ボンベ収納ボックス１内に取付けた本実施形態の容器収納用ストッパ装置１０の概略図である。図２は図１の空気ボンベ収納ボックス１の出入口付近に取付けた収納用ストッパ装置１０の構造を詳しく示す。図３は空気ボンベ収納ボックス１に収納した容器として、空気ボンベ３０の飛び出しをストッパ１１で防止する状態を示す。図４（ａ）及び図４（ｂ）は、緊急車両の一形態としての消防自動車４０に、複数個の空気ボンベ３０を収納した空気ボンベ収納ボックス１を備えた状態を示した図である。
【００２２】
本実施形態の容器収納用ストッパ装置１０は、図１に示すように、空気ボンベ３０を横にして収納する空気ボンベ収納ボックス１の出入口１ａに形成する。
消防自動車４０などの緊急車両は、図４（ａ）及び図４（ｂ）に示すように、複数の空気ボンベ収納ボックス１，１，・・・が例えば消防自動車４０のサイドから空気ボンベ３０を横に向けて出し入れできるように備えられている。空気ボンベ収納ボックス１は、図１に示すように、例えば四角形の開口を出入口１ａとし、空気ボンベ３０を収納する長さを有する直方体形状を形成している。
なお、空気ボンベ３０は、前述の「考案が解決しようとする課題」で説明したように、底部から側面の長手方向のほぼ中央にかけて、例えばゴム製の保護カバー３１を装着している。したがって、空気ボンベ３０の側面には保護カバー３１の端部に段差３２ができる。
【００２３】
収納用ストッパ装置１０は、本実施形態では、空気ボンベ収納ボックス１の出入口１ａの上部内壁面に取り付けられているが、出入口１ａの左右のいずれかの側部内壁面であってもよく、特に限定されない。
収納用ストッパ装置１０は、図３に示すように、空気ボンベ収納ボックス１内に収納した空気ボンベ３０の先端部に当接して前記空気ボンベ３０の飛び出しを防止するストッパ１１を備えている。
【００２４】
ストッパ１１は、図１及び図２（ａ）〜図２（ｃ）に示すように、本実施形態では板状部材で形成しており、空気ボンベ収納ボックス１の出入口１ａの内壁に取付けるための取付用固定部材１２に対してヒンジ部１３を介して回動可能に形成している。
取付用固定部材１２は、本実施形態では長方形の板状部材で形成しており、空気ボンベ収納ボックス１の上部内面に、例えばねじ部材１２ｂ，・・・，１２ｂによって固定する構成であり、取付用固定部材１２の長手方向の両端側に２つの長孔１２ａ，１２ａを形成している。
【００２５】
また、ストッパ１１は、図２（ｃ）に示すように、コイルスプリング１４などの付勢手段によって取付用固定部材１２に対して常時開く方向に付勢している。さらに、ストッパ１１は、取付用固定部材１２に対して所定の角度だけ回動すると、ストッパ１１の後端が取付用固定部材１２に突き当たる構成である。なお、前記開き角度は鋭角とすることが望ましい。さらに、ストッパ１１の先端側は、空気ボンベ３０の先端部に当接するための樹脂製のブーツ１１ａを装着している。
【００２６】
容器収納用ストッパ装置１０は、図１及び図２（ａ）に示すように、取付用固定部材１２を空気ボンベ収納ボックス１の出入口１ａの上部内壁面にねじ部材１２ｂ，・・・，１２ｂによって固定する。このとき、ストッパ１１は、ヒンジ部１３から空気ボンベ収納ボックス１の底部方向に延伸すると共に空気ボンベ収納ボックス１の内壁側から中心の方向に向けて回動するように取り付けられている。
【００２７】
さらに、ストッパ１１は、取付用固定部材１２に対する回動方向の外側に位置して前記回動方向と同じ方向に回転する一対のローラ２０，２０を備えている。一対のローラ２０，２０は、ストッパ１１の幅方向の両側に位置していることが空気ボンベ３０の側面に安定して当接するという点で望ましい。
本実施形態では、図２（ａ）〜図２（ｃ）に示すように、断面コ字状のローラ支持部材２１が、ストッパ１１におけるヒンジ部１３側から先端までの長さのほぼ中間に、板状をなす固定用補助部材２２との間で挟み込んでねじ部材２１ｂ，・・・，２１ｂによって締め付け固定されている。各ローラ２０，２０は、ローラ支持部材２１の両側のフランジ部２１ａ，２１ａの外側に回転可能に取り付けられている。
なお、ローラ２０の数は、少なくとも１個あればよく、特に限定されない。したがって、複数個のローラ２０，２０，・・・が左右対称でなくても、適宜に配置されてもよい。
【００２８】
上述のローラ２０，２０は、ストッパ１１がコイルスプリング１４の付勢力に抗して空気ボンベ収納ボックス１の内壁側に回動した時に、空気ボンベ収納ボックス１内を出し入れする空気ボンベ３０の側面に対して当接する押当て部材として機能する。つまり、ローラ２０，２０が空気ボンベ３０の側面に当接すると、ストッパ１１の先端部が保護カバー３１の端部の段差３２から外れた位置となる。しかも、空気ボンベ３０が引き出される時に、ローラ２０，２０の外周の曲面が空気ボンベ３０の側面にある保護カバー３１の端部の段差３２を円滑に乗り越える。
【００２９】
したがって、押当て部材は、ストッパ１１の回動方向の外側に位置し、かつ先端方向に向けて湾曲する湾曲部を備えていることが特徴となる。押当て部材としては、前述のローラ２０に限定されず、他の部材でもよい。
【００３０】
次に、上記の容器収納用ストッパ装置１０の動作について図面を参照して説明する。図５及び図６は、空気ボンベ３０を空気ボンベ収納ボックス１に収納する過程と、収納した空気ボンベ３０を空気ボンベ収納ボックス１から取り出す過程を示す。
【００３１】
空気ボンベ３０が空気ボンベ収納ボックス１の中に収納されていない状態では、本実施形態の収納用ストッパ装置１０は、図５（ａ）に示すように、ストッパ１１が空気ボンベ収納ボックス１の内壁側から中心の方向に向けて回動するように常時付勢されている。
【００３２】
使用者が保護カバー３１を装着した空気ボンベ３０を横に向けて空気ボンベ収納ボックス１の出入口１ａから挿入する場合、図５（ｂ）に示すように、空気ボンベ３０の底部がストッパ１１のローラ２０を押してストッパ１１をコイルスプリング１４の付勢力に抗して空気ボンベ収納ボックス１の内壁側へ回動させる。ローラ２０が空気ボンベ３０の保護カバー３１の側面に対して当接した状態で空気ボンベ３０が移動するので、ストッパ１１の先端部は保護カバー３１の側面から離れた状態になる。
その後、空気ボンベ３０は、ストッパ１１のローラ２０が保護カバー３１の側面に当接した状態から、抵抗なく端部の段差３２を通過して空気ボンベ３０の側面に当接した状態となり、空気ボンベ収納ボックス１内に収納される。
【００３３】
空気ボンベ３０が空気ボンベ収納ボックス１内に収納されると、図５（ｃ）に示すように、ローラ２０が空気ボンベ３０の側面から離れ、ストッパ１１は前記付勢力によって空気ボンベ収納ボックス１の中心に向けて回動する。その結果、ストッパ１１の先端が空気ボンベ収納ボックス１内に収納した空気ボンベ３０の先端部に当接するので、空気ボンベ３０の飛び出しを防止することができる。
【００３４】
一方、使用者が空気ボンベ３０を空気ボンベ収納ボックス１から取り出す場合、ストッパ１１の先端が空気ボンベ３０の先端部への当接から外ずれるように、図５（ｃ）の二点鎖線で示すように、使用者の指先でストッパ１１を前記付勢力に抗して空気ボンベ収納ボックス１の内壁側へ回動する。次いで、図６（ａ）に示すように、ストッパ１１のローラ２０が空気ボンベ３０の側面に当接した状態となるよう空気ボンベ３０を引き出す。この時、ストッパ１１の先端部が保護カバー３１の端部の段差３２から外れた位置になる。
【００３５】
使用者が空気ボンベ３０を引き出す途中で、図６（ｂ）に示すように、ローラ２０が空気ボンベ３０の側面にある保護カバー３１の端部の段差３２に当たっても、ローラ２０の外周の曲面が保護カバー３１の端部の段差３２を円滑に乗り越えることができるので、空気ボンベ３０を円滑に取り出すことができる。
したがって、従来のように空気ボンベ３０が重いので一使用者が持った状態でストッパ１１を回動させたり、あるいは、別の一使用者が指先でストッパ１１を前記付勢力に抗して回動させたりする必要がなくなる。その結果、大きな労力と手間および時間のロスを解消することができ、緊急事態にも円滑に対処することができる。
【００３６】
なお、本実施形態では、空気呼吸器の空気ボンベを収納する場合について説明したが、これに限らず、プロパンガスやエチレンガス、窒素ガスなどの各種のボンベ（高圧容器）を輸送用車両にて運搬する際や、病院や工場などの建築物内にて使用される各種の筒状の容器を収納する際にも利用可能である。
【産業上の利用可能性】
【００３７】
本考案は、消防自動車や災害用の車両や輸送用機器など、空気呼吸器が常備される各種の緊急車両や、各種の機器の製造や販売の関連事業、空気呼吸器に使用する空気ボンベ、ガスボンベの製造や販売、充填、使用等の関連事業で利用可能性を有する。
【符号の説明】
【００３８】
１  空気ボンベ収納ボックス              １ａ  出入口
１０  収納用ストッパ装置                １１  ストッパ
１１ａ  ブーツ                          １２  取付用固定部材
１２ａ  長孔                            １２ｂ  ねじ部材
１３  ヒンジ部                          １４  コイルスプリング
２０  ローラ（押当て部材）              ２１  ローラ支持部材
２１ａ  フランジ部                      ２１ｂ  ねじ部材
２２  固定用補助部材                    ３０  空気ボンベ
３１  保護カバー                        ３２  段差
４０  消防自動車
【図１】
0003213084.tif 000003
【図２】
0003213084.tif 000004
【図３】
0003213084.tif 000005
【図４】
0003213084.tif 000006
【図５】
0003213084.tif 000007
【図６】
0003213084.tif 000008